(57)【要約】【課題】  振動によってゆるみの生じない固定具であって、締結時に固定具の挿入孔中の位置を確実に維持する固定具を提供すること。【解決手段】  本体胴部と、揺動可能な返し部と、頭部固定部とよりなり、挿入孔側壁を本体胴部あるいは本体胴部に付随する構成物により圧着することで挿入孔中に本体胴部を安定的に位置させるとともに、振動による基盤と被取り付け物のずれの発生を押さえる圧着手段を有し、挿入孔に本体胴部先端を挿入し進入方向に加圧すると揺動可能な返し部がすぼまって挿入孔を通過し、該揺動可能な返しが外に出て横方向に突出することで、前記頭部固定部と前記返し部により基盤と被取り付け物を挟み込んで固定することを特徴とする返しを有する固定具を供する。【選択図】        図１２
2007239817.tif 000002
【特許請求の範囲】
【請求項１】
硬質弾性体の棒状体あるいは板状体を主材とし、本体胴部と、揺動可能な返し部と、頭部固定部とよりなり、挿入孔側壁を本体胴部あるいは本体胴部に付随する構成物により圧着することで挿入孔中に本体胴部を安定的に位置させるとともに、振動による基盤と被取り付け物のずれの発生を押さえる圧着手段を有し、挿入孔に本体胴部先端を挿入し進入方向に加圧すると揺動可能な返し部がすぼまって挿入孔を通過し、該揺動可能な返しが外に出て横方向に突出することで、前記頭部固定部と前記返し部により基盤と被取り付け物を挟み込んで固定することを特徴とする返しを有する固定具。
【請求項２】
前記圧着手段が本体胴部に設けた突起物であって該突起物が挿入孔の側壁に圧着することで挿入孔中における本体胴部の位置を一定に保つ構成である請求項１記載の返しを有する固定具。          
【請求項３】
前記本体胴部を、水平方向断面がＳ字状やＺ字状、又は筒状に曲げ癖をつけた板状体、あるいは、縦帯状に切り欠いた切り欠き部を有する筒状体などとして、水平方向へのたわみ可能に板材を構成し、前記圧着手段が当該たわませた前記板状体の復元力としたものであることを特徴とする請求項１記載の返しを有する固定具。
【請求項４】
前記頭部固定部が本体胴部上端の一部を延長し、一旦横方向に向かって進み、次いで方向を転じて前記本体胴部の外側に突出して、該突出部が被取り付け物を押さえつける構成である請求項１記載の返しを有する固定具。
【請求項５】
前記返しが、板状体や筒状体の一部に切れ込みを入れたことにより突出可能となった板状体や筒状体の一部であり、たわみを持たせた板状体又は細く絞り込んだ筒状体が挿入孔外に押し出されると、当該返しが挿入孔の外で突出し、挿入孔の出口に係着して逆進を妨げる構成である、請求項１記載の返しを有する固定具。
【発明の詳細な説明】
【技術分野】
【０００１】
基盤上に物を取り付けるための固定具に関するものである。
【背景技術】
【０００２】
従来より、振動を有する器物に部品等を接合する場合に振動によってゆるみが生じないための様々なネジ、鋲等が発明考案されてきた。振動に伴ってネジをゆるませないための一例に、雄ネジの一部を切り欠いて雌ねじに食い込ませ逆回転を防ごうとするもの、一つは雄ネジに二重の山を形成して弾力を持たせ、雌ネジとの密着性を高めることで逆回転を防ごうとするもの等が挙げられる。しかしながら、ネジである以上逆方向の回転を完全に防ぐことには無理があり、十分な効果を上げてこなかった。
【０００３】
【特許文献１】特許３７４６７８１号広報  特許３７４６７８１号広報は上記課題を解決するために開発された技術であり、振動を有する器物における固定に有効である。しかし、孔を有する基盤上に物を取り付ける場合、挿入孔中における本体胴部の位置を安定させる手段について追求されていない。ネジと比較した場合締結力の弱い前記特許技術において挿入孔中の位置の不安定さは締結力の低下や固定具の劣化速度を速めるなどの問題を有する。廉価に製造でき、基盤上に素材を確実に接合でき、振動によってゆるみの生じない固定具であって、締結時に固定具の挿入孔中の位置を確実に維持する固定具が望まれる。
【発明の開示】
【発明が解決しようとする課題】
【０００４】
廉価に製造でき、基盤上に素材を確実に接合でき、振動によってゆるみの生じない固定具であって、締結時に固定具の挿入孔中の位置を確実に維持する固定具を提供すること。
【課題を解決するための手段】
【０００５】
硬質弾性体の棒状体あるいは板状体を主材とし、本体胴部と、揺動可能な返し部と、頭部固定部とよりなり、挿入孔側壁を本体胴部あるいは本体胴部に付随する構成物により圧着することで挿入孔中に本体胴部を安定的に位置させるとともに、振動による基盤と被取り付け物のずれの発生を押さえる圧着手段を有し、挿入孔に本体胴部先端を挿入し進入方向に加圧すると揺動可能な返し部がすぼまって挿入孔を通過し、該揺動可能な返しが外に出て横方向に突出することで、前記頭部固定部と前記返し部により基盤と被取り付け物を挟み込んで固定することを特徴とする返しを有する固定具を供する。
【０００６】
前記圧着手段が本体胴部に設けた突起物であって該突起物が挿入孔の側壁に圧着することで挿入孔中における本体胴部の位置を一定に保つ構成である返しを有する固定具を供する。
【０００７】
前記本体胴部を、水平方向断面がＳ字状やＺ字状、又は筒状に曲げ癖をつけた板状体、あるいは、縦帯状に切り欠いた切り欠き部を有する筒状体などとして、水平方向へのたわみ可能に板材を構成し、前記圧着手段が当該たわませた前記板状体の復元力としたものであることを特徴とする返しを有する固定具を供する。
【０００８】
前記頭部固定部が本体胴部上端の一部を延長し、一旦横方向に向かって進み、次いで方向を転じて前記本体胴部の外側に突出して、該突出部が被取り付け物を押さえつける構成である返しを有する固定具を供する。
【０００９】
前記返しが、板状体や筒状体の一部に切れ込みを入れたことにより突出可能となった板状体や筒状体の一部であり、たわみを持たせた板状体又は細く絞り込んだ筒状体が挿入孔外に押し出されると、当該返しが挿入孔の外で突出し、挿入孔の出口に係着して逆進を妨げる構成である、返しを有する固定具を供する。
【発明の効果】
【００１０】
硬質弾性体の棒状体あるいは板状体を主材とし、本体胴部と、揺動可能な返し部と、頭部固定部とよりなり、挿入孔側壁を本体胴部あるいは本体胴部に付随する構成物により圧着することで挿入孔中に本体胴部を安定的に位置させるとともに、振動による基盤と被取り付け物のずれの発生を押さえる圧着手段を有し、挿入孔に本体胴部先端を挿入し進入方向に加圧すると揺動可能な返し部がすぼまって挿入孔を通過し、該揺動可能な返しが外に出て横方向に突出することで、前記頭部固定部と前記返し部により基盤と被取り付け物を挟み込んで固定することを特徴とする返しを有する固定具であるため，次の効果を奏する。
【００１１】
振動によってゆるみの生じない固定具であって、締結時に固定具の挿入孔中の位置を安定的に維持し、基盤上に素材を確実に接合できる固定具を廉価に提供できる。
【００１２】
前記圧着手段が本体胴部に設けた突起物であって該突起物が挿入孔の側壁に圧着することで挿入孔中における本体胴部の位置を一定に保つ構成である返しを有する固定具であるため，次の効果を奏する。
【００１３】
前記圧着手段を有する固定具が、原材料や作業工程における特別な負担を増すことなく製造可能となる。
【００１４】
前記本体胴部を、水平方向断面がＳ字状やＺ字状、又は筒状に曲げ癖をつけた板状体、あるいは、縦帯状に切り欠いた切り欠き部を有する筒状体などとして、水平方向へのたわみ可能に板材を構成し、前記圧着手段が当該たわませた前記板状体の復元力としたものであることを特徴とする返しを有する固定具であるため，次の効果を奏する。
【００１５】
固定具全体の構成が単純化され、コストの削減ができると共に、前記圧着手段の効果を一層高める事ができる。
【００１６】
前記頭部固定部が本体胴部上端の一部を延長し、一旦横方向に向かって進み、次いで方向を転じて前記本体胴部の外側に突出して、該突出部が被取り付け物を押さえつける構成である返しを有する固定具であるため，次の効果を奏する。
【００１７】
突起物を上に向かって突出させずに本体胴部の引き戻し弾性を得ることができる。頭部固定部左右に扁平であるため、組み立てた機器類に、取り付けによる無駄な空間を作る事がない。
【００１８】
前記返しが、板状体や筒状体の一部に切れ込みを入れたことにより突出可能となった板状体や筒状体の一部であり、たわみを持たせた板状体又は細く絞り込んだ筒状体が挿入孔外に押し出されると、当該返しが挿入孔の外で突出し、挿入孔の出口に係着して逆進を妨げる構成である、返しを有する固定具であるため，次の効果を奏する。
【００１９】
単純な構成で、部品や工程数を増やすことなく確実な係止力を有する「返し」が得られる。
【発明を実施するための最良の形態】
【００２０】
本願発明は、その一部が特許３７４６７８１号の改良発明でもあり、振動の激しい取り付け対象物において特に効果を発揮するゆるみの生じない固定具に関する物である。本願中の「揺動可能な返し部」とは固定具の胴部先端近くに設けられ、挿入孔内部の本体胴部を後退不可能にする突起物であり、挿入孔に固定具の先端を挿入すると該突起物がすぼまって挿入孔を通過し、該通過後に孔の外で該突起物が横方向に向かって突出することで前記本体胴部の後退を阻止する機能を有する突起物をいう。本願中の「圧着手段」は係着を意味せず、逆に係着しないための配慮を要し、挿入孔の側壁を押圧することで、振動による被取り付け物とこれを取り付ける基盤との位置のずれが生じないようにするものである。
【実施例１】
【００２１】
発明の実施の形態について以下、図に基づいて説明する。図１は実施例１の一部断面を含む斜視図である。本実施例における本件固定具は本体胴部１である本体胴部Ａ１１と、揺動可能な返し部２である返し部Ａ２１と、頭部固定部３である頭部固定部Ａ３１（３）とよりなり、圧着手段４である圧着手段Ａ４１（４）が挿入孔中における本体胴部Ａ１１（１）の位置を一定に保つ。本図において圧着手段Ａ４１（４）以外は鋼などの硬質弾性材で構成される。圧着手段Ａ４１は硬質ゴム等の弾性体であり、返し部Ａ２１（２）がすぼまる際には返し部Ａ２１（２）の変形に対応して変形し、返し部Ａ２１（２）がすぼまることを妨げない。
【００２２】
図２は実施例１の作用図である。図Ａは基盤５上に被取り付け物６を裁置し、その上から本体胴部Ａ１１（１）を打ち込み、頭部固定部Ａ３１（３）によってを前記被取り付け物６を基盤５に押圧し、返し部Ａ２１（２）が挿入孔８を通過して抜け出そうとする直前の状態を表している。図Ｂは前記返し部Ａ２１（２）が挿入孔８を抜け出して開き、前記被取り付け物６と前記頭部固定部Ａ３１（３）の弾性によって、図Ａのごとき前記頭部固定部Ａ３１（３）と被取り付け物６がゆがんだ形状を復元して本体胴部Ａ１１（１）を引き戻し、前記返し部Ａ２１（２）が更に開いて基盤５の外側に係着させた状態を表している。本図は被取り付け物６及び頭部固定部Ａ３１（３）が弾性を発揮し、該頭部固定部Ａ３１（３）のゆがみと取り付け物物６のゆがみの復元によって締結力を得る例である。
【実施例２】
【００２３】
図３は実施例２の斜視図である。実施例１と本実施例の相違点は頭部固定部３の構成及びその機能にあり、他は同一である。実施例１における頭部固定部Ａ３１（３）が本実施例では、下方向にたわんだ形状の頭部固定部Ｂ３２（３）とし、本体胴部最上端１０１との接点から曲折して下方に向かい、本体胴部最上端１０１と頭部固定部３の最下端３０１とを結ぶ線と、本体胴部の中心線１０２が形成する角が鋭角をなす。挿入孔８に本体胴部最上端１０１まで打ち込んだ際に頭部固定部Ｂ３２（３）にゆがみが生じ、その復元力によって本体胴部Ａ１１（１）を引き戻し、前記返し部Ａ２１（２）と頭部固定部Ｂ３２（３）の間に基盤５と被取り付け物６を挟み込みこんで固定する。
【実施例３】
【００２４】
図４は実施例３の斜視図である。実施例２において、頭部固定部Ｂ３２（３）が本体胴部最上端１０１との接点から曲折して下方に向かい構成が単純であるのに対し、本実施例では頭部固定部Ｃ３３（３）が本体胴部最上端１０１との接点から、一旦、上又は斜め上方に向かい曲折して下に向かう構成になっている。頭部固定部Ｃ３３（３）が、一旦、上又は斜め上方に向かい曲折して下に向かう構成であることから、頭部固定部３の長さが延長され、当該本体胴部最上端１０１から頭部固定部３の最下端３０１に至る形状に激しい曲折を伴わず、ゆるやかな曲線によって構成される。頭部固定部３の長さが延長され、ゆるやかな曲線によって構成されるため、分解時には、押し込み用押圧部７である押し込み用押圧部Ａ７１（７）に棒状の物を宛い、取り付け時の進入方向に向かって加圧すると頭部固定部Ｃ３３（３）が引き延ばされ変形しやすく、挿入孔８を通過し挿入孔８から離脱することも容易となる。資源保護の下に部品等の再利用が叫ばれる現在、有用な固定具となる。
【実施例４】
【００２５】
図５は実施例４の斜視図である。本実施例は全体が硬質の金属板で一体に形成され、一枚の板を立てた状態で本体胴部Ｂ１２（１）とする。該板の上部に縦の切れ込みを入れてて左右に分け、それぞれが前後方向に分かれて斜め上方に進み、曲折して下方に向かうことで頭部固定部Ｄ３４（３）を構成する。本体胴部１の下端近くに窓状の切れ込みをいれて切片２０である切片Ａ２０１（２０）を構成し、該切片Ａ２０１（２０）が左右に分かれ、斜め上方に向かって曲折し、立ち上げたものを返し部Ｂ２２（２）とする。同様にして切片Ｂ２０２（２０）を構成し、左右に分けて立ち上げ、上方に向かって曲折することで、圧着手段Ｂ４２（４）とする。切片Ｂ２０２（２０）は丸みやふくらみを帯びるなど挿入孔８の中で係着しにく意形状で、頭部固定部Ｄ３４（３）が打ち込みによって変形し、該変形した形状を復元することで得られる引き戻し力の働きを妨げない構成とする。
【００２６】
図６は実施例４の使用状態を示す断面図である。基盤５上に被取り付け物６を裁置し、挿入孔８に本体胴部先端１０３を宛って打ち込むと、頭部固定部Ｄ３４（３）が一旦、両横に引き延ばされて、本体胴部Ｂ１２（１）が下に進み返し部Ｂ２２（２）が挿入孔８の外に出て開く。頭部固定部Ｄ３４（３）が元の形状を復元することで、本体胴部Ｂ１２（１）を引き戻し、返し部Ｂ２２（２）の弾性と頭部固定部Ｄ３４（３）の弾性により基盤５と被取り付け物６を挟み込んで固定する。圧着手段Ｂ４２（４）が挿入孔８の側壁を押圧し、振動によって基盤５と被取り付け物６の間に位置ずれが生じないようにする。圧着手段Ｂ４２は腹部を膨らませるなどして挿入孔８の側壁に係止することを防ぎ、本体胴部Ｂ１２（１）の引き戻しを妨げないようにする。
【実施例５】
【００２７】
図７は実施例５の斜視図である。実施例４が本体胴部の横幅中央部に切れ込みを入れて切片Ａ２０１（２０）や切片Ｂ２０２（２０）を構成したのに対し、本実施例では本体胴部Ｃ１３（１）の側端部に切れ込みを複数入れて左右交互に立ち上げて切片Ｃ２０３（２０）や切片Ｄ２０４（２０）を構成し、それぞれを返し部Ｃ２３（２）と圧着手段Ｃ４３（４）とする。圧着手段Ｃ４２（４）の数が増えて本体胴部Ｃ１３（１）の全体に圧着の力が及ぶ。側端部に切れ込みを複数、縦に並べて構成するため本体胴部Ｃ１３（１）の強度を部分的に損なうことがなく、均等な強度が保てる。本体胴部Ｃ１３（１）の上端部は縦に切れ込みを入れて帯状体を構成し左右それぞれが前後斜め上方に向かい湾曲して方向を変え、下に向かうことで頭部固定部Ｅ３５（３）とする。二つの頭部固定部Ｅ３５（３）の間に押し込み用押圧部Ｂ７２（７）を構成する。該押し込み用押圧部Ｂ７２（７）に押し込み用具を添えて進入方向に加圧すると頭部固定部Ｅ３５（３）は本体胴部Ｃ１３（１）の中心線の延長線上に沿うように変形し挿入孔８内を通過して、基盤５と被取り付け物６から離脱し、基盤５と被取り付け物６は分離する。
【実施例６】
【００２８】
図８は実施例６の斜視図である。実施例５と、その構成及び効果がほぼ同一であるが、頭部固定部Ｆ３６（３）が本体胴部Ｃ１３（１）の本体胴部最上端（１０１）から横に曲折して構成され、実施例５と比較して本体胴部から上へ突起する高さを低く抑えてある。本体胴部Ｃ１３（１）の中央を縦に分割し、その下端に押し込み用押圧部Ｃ７３（７）を形成する。上記構成により、押し込み用押圧部Ｃ７３（７）を進入方向に向かって加圧すると、割れの入った本体胴部Ｃ１３（１）の上部が、頭部固定部Ｆ３６（３）の形成されていない側すなわち矢印の示す方向に逃げながら、本体胴部Ｃ１３（１）と頭部固定部Ｆ３６（３）の曲折部を中心に変形し、頭部固定部Ｆ３６（３）は角度を変えて挿入孔中に進入し、離脱容易となる。
【実施例７】
【００２９】
図９は実施例７の斜視図である。図Ａは弾性を有する硬質の板状体で構成され、本体胴部１が水平方向断面をＳ字状に曲折した物である。図Ｂは図Ａと同様に水平方向断面がＺ字状になる様に形成した物である。以降、図Ａと図Ｂは同一の物として記述する。本体胴部１を本体胴部Ｄ１４（１）とし、該本体胴部Ｄ１４（１）を構成する板状体の一部を延長して突出させ、上又は斜め上方に湾曲しながら進んで方向を変え、下に向かうことで頭部固定部Ｇ３７（３）を構成する。本体胴部Ｄ１４（１）の下端を斜めに切り落とし先端を挿入孔の大きさよりも細くなるように形成する。本体胴部Ｄ１４（１）の側部下端近くに切れ目９を設ける。本体胴部Ｄ１４（１）の左右縦側端部において、切れ目９より下が返し部Ｄ２４（２）となり、切れ目９より上が圧着手段Ｄ４４（４）となる。本体胴部Ｄ１４（１）の下端部を挿入孔８の入り口に宛い、挿入孔８に押し込むと本体胴部Ｄ１４（１）が横方向に圧縮されて細く変形する。返し部Ｄ２４（２）の先端が挿入孔８を通過すると外側に向かって突出し、本体胴部Ｄ１４（１）が後退不可能となる。返し部Ｄ２４（２）と、頭部固定部Ｇ３７（３）が基盤５と被取り付け物６を挟み込み、頭部固定部Ｇ３７（３）の弾性が両者を固定する。
【実施例８】
【００３０】
図１０は実施例８の斜視図である。図Ａは硬質弾性材による円筒の一部を縦帯状に切り欠いて本体胴部Ｅ１５（１）とし、図Ｂは硬質弾性板材を湾曲させてその湾曲部が部分的に円筒状を形成するようにした物を本体胴部Ｆ１６（１）としたものである。両者とも前後に圧縮して扁平に構成しても効果は得られる。図Ａの本体胴部Ｅ１５（１）が円筒状であり、図Ｂの本体胴部Ｆ１６（１）が平板状であるかの違いを有するのみで、形状が類似すると同様に機能もほぼ同一である。Ａ図・Ｂ図共に上端部の一部を上に延長して突出させ、湾曲させて方向を変えて下に向い、頭部固定部Ｇ３７（３）とする。Ａ・Ｂ共に本体胴部１における胴部左右縦側端部の下端近くに切れ目９を設ける。本体胴部１の左右縦側端部において、切れ目９より下が返し部Ｄ２４（２）となり、切れ目９より上が圧着手段Ｄ４４（４）となる。
【００３１】
本体胴部Ｅ１５（１）又は本体胴部Ｆ１６（１）の下端部を挿入孔８の入り口に宛い、挿入孔８に押し込むと本体胴部Ｅ１５（１）又は本体胴部Ｆ１６（１）が横方向に圧縮されて細く変形する。返し部Ｄ２４（２）が挿入孔を通過すると外側に向かって突出し、本体胴部Ｅ１５（１）又は本体胴部Ｆ１６（１）が後退不可能となり、返し部Ｄ２４（２）と、頭部固定部Ｇ３７（３）が基盤５と被取り付け物６を挟み込み、頭部固定部Ｇ３７（３）の弾性が両者を固定する。図Ｂは胴部縦側端部１２が平板状であるため、返し部Ｄ２４（２）が挿入孔８を通過した後に図Ａの返し部Ｄ２４（２）よりも大きく突出する。図Ｂでは本体胴部Ｆ１６（１）の上端部に、該上端部を内側に曲折突起させた押し込み用押圧部Ｄ７４（７）を形成する。挿入孔８の中にある本体胴部Ｆ１６（１）の上端部を下に向かって加圧する際に加圧用具が係着しやすくなる。
【実施例９】
【００３２】
図１１は実施例９の斜視図である。本実施例と実施例８との違いは、その上端部において本体胴部Ｇ１７（１）の外側壁が外に向かって傾斜し、本体胴部Ｇ１７（１）の断面がＶ字を縦に二等分した三角形の形にせり出した頭部固定部Ｈ３８（３）を有する点である。頭部固定部Ｈ３８（３）の形状がすっきりとし、単純であるため取り付けた際に頭部固定部Ｈ３８（３）が作る突起物が邪魔になりにくい。使用に当たっては当該三角形の形のせり出し部（頭部固定部Ｈ３８）を挿入孔８の中に押し込むと、本体胴部Ｇ１７（１）が細く変形しながら返し部Ｄ２４（２）が挿入孔８を通過する位置まで進入し、該返し部Ｄ２４（２）が外側に向かって突出する。加圧を解くと本体胴部Ｇ１７（１）の弾性により本体胴部Ｇ１７（１）が拡張し前記三角形のせり出し部によって滑るようにして上に向かって移動する。該移動する力によって、返し部Ｄ２４（２）と頭部固定部Ｈ３８（３）が基盤５と被取り付け物６を挟み込んで固定する。該三角形の形にせり出し部（頭部固定部Ｈ３８）は円形である必要はなく、頭部固定部Ｈ３８（３）の上端部を数カ所、部分的に突出させるだけでも効果は生じる。
【実施例１０】
【００３３】
図１２は実施例１０の斜視図である。本実施例円筒形であるが、前後に圧縮して扁平に構成しても効果は得られる。実施例８や実施例９との違いは頭部固定部３と返し部２の構成の違いにある。本実施例の頭部固定部３は頭部固定部Ｉ３９（３）であって本体胴部Ｈ１８（１）の上端の一部を延長し筒状体内部に向かって横方向に突出させ、次いで方向を転じ筒状体外側に向かって進み、本体胴部Ｈ１８（１）の上端を通り過ぎて外側まで突出させる。このことにより、頭部固定部Ｉ３９は突起物を上に向かって突出させずに引き戻し弾性を得ることができる。頭部固定部Ｉ３９（３）が左右に扁平であるため、組み立てた機器類に、取り付けによる無駄な空間を作る事がない。返し部Ｅ２５（２）は本体胴部Ｈ１８（１）の下端近くに切れ込みを入れ切片Ｅ２０５（２０）を構成し該切片Ｅ２０５（２０）の上端を外に向かって押し出す。該切片Ｅ２０５（２０）が小さな物であってもその下端部が本体胴部Ｈ１８（１）に連続しているため、本体胴部１の側端部に切れ込みを入れた物と比較して大きな係止力を得る。
【図面の簡単な説明】
【００３４】
【図１】実施例１の一部断面を含む斜視図である。
【図２】実施例１の作用図である。
【図３】実施例２の斜視図である。
【図４】実施例３の斜視図である。
【図５】実施例４の斜視図である。
【図６】実施例４の使用状態を示す断面図である。
【図７】実施例５の斜視図である。
【図８】実施例６斜視図である。
【図９】実施例７の斜視図である。
【図１０】実施例８の斜視図である。
【図１１】実施例９の斜視図である。
【図１２】実施例１０の斜視図である。
【符号の説明】
【００３５】
１  本体胴部                    
１０１  本体胴部最上端          
１０２  本体胴部中心線          
１０３  本体胴部先端            
１１  本体胴部Ａ                
１２  本体胴部Ｂ                
１３  本体胴部Ｃ                
１４  本体胴部Ｄ                
１５  本体胴部Ｅ                
１６  本体胴部Ｆ                
１７  本体胴部Ｇ                
１８  本体胴部Ｈ                
２  揺動可能な返し部            
２０  切片                      
２０１  切片Ａ                  
２０２  切片Ｂ                  
２０３  切片Ｃ                  
２０４  切片Ｄ                  
２０５  切片Ｅ                  
２１  返し部Ａ                  
２２  返し部Ｂ                  
２３  返し部Ｃ                  
２４  返し部Ｄ                  
２５  返し部Ｅ                  
３  頭部固定部                  
３０１  頭部固定部最下端        
３１  頭部固定部Ａ              
３２  頭部固定部Ｂ              
３３  頭部固定部Ｃ              
３４  頭部固定部Ｄ              
３５  頭部固定部Ｅ              
３６  頭部固定部Ｆ              
３７  頭部固定部Ｇ              
３８  頭部固定部Ｈ              
３９  頭部固定部Ｉ              
４  圧着手段                    
４１  圧着手段Ａ                
４２  圧着手段Ｂ                
４３  圧着手段Ｃ                
４４  圧着手段Ｄ                
５  基盤                        
６  被取り付け物                
７  押し込み用押圧部            
７１  押し込み用押圧部Ａ        
７２  押し込み用押圧部Ｂ        
７３  押し込み用押圧部Ｃ        
７４  押し込み用押圧部Ｄ        
８  挿入孔                      
９  切れ目                      
【図１】
2007239817.tif 000003
【図２】
2007239817.tif 000004
【図３】
2007239817.tif 000005
【図４】
2007239817.tif 000006
【図５】
2007239817.tif 000007
【図６】
2007239817.tif 000008
【図７】
2007239817.tif 000009
【図８】
2007239817.tif 000010
【図９】
2007239817.tif 000011
【図１０】
2007239817.tif 000012
【図１１】
2007239817.tif 000013
【図１２】
2007239817.tif 000014
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
硬質弾性体の棒状体あるいは板状体を主材とし、本体胴部と、揺動可能な返し部と、頭部固定部とよりなり、挿入孔側壁を本体胴部あるいは本体胴部に付随する構成物により圧着することで挿入孔中に本体胴部を安定的に位置させるとともに、振動による基盤と被取り付け物のずれの発生を押さえる圧着手段を有し、挿入孔に本体胴部先端を挿入し進入方向に加圧すると揺動可能な返し部がすぼまって挿入孔を通過し、該揺動可能な返しが外に出て横方向に突出することで、前記頭部固定部と前記返し部により基盤と被取り付け物を挟み込んで固定する返しを有する固定具において、前記本体胴部を、水平方向断面がＳ字状やＺ字状に曲げ癖をつけた板状体とし、水平方向へのたわみ可能に板材を構成し、前記圧着手段が当該たわませた前記板状体の復元力としたものであることを特徴とする返しを有する固定具。
【手続補正２】
【補正対象書類名】明細書
【補正対象項目名】全文
【補正方法】変更
【補正の内容】
【発明の詳細な説明】
【技術分野】
【０００１】
基盤上に物を取り付けるための固定具に関するものである。
【背景技術】
【０００２】
従来より、振動を有する器物に部品等を接合する場合に振動によってゆるみが生じないための様々なネジ、鋲等が発明考案されてきた。振動に伴ってネジをゆるませないための一例に、雄ネジの一部を切り欠いて雌ねじに食い込ませ逆回転を防ごうとするもの、一つは雄ネジに二重の山を形成して弾力を持たせ、雌ネジとの密着性を高めることで逆回転を防ごうとするもの等が挙げられる。しかしながら、ネジである以上逆方向の回転を完全に防ぐことには無理があり、十分な効果を上げてこなかった。
【０００３】
【特許文献１】特許３７４６７８１号広報  特許３７４６７８１号広報は上記課題を解決するために開発された技術であり、振動を有する器物における固定に有効である。しかし、孔を有する基盤上に物を取り付ける場合、挿入孔中における本体胴部の位置を安定させる手段について追求されていない。ネジと比較した場合締結力の弱い前記特許技術において挿入孔中の位置の不安定さは締結力の低下や固定具の劣化速度を速めるなどの問題を有する。廉価に製造でき、基盤上に素材を確実に接合でき、振動によってゆるみの生じない固定具であって、締結時に固定具の挿入孔中の位置を確実に維持する固定具が望まれる。
【発明の開示】
【発明が解決しようとする課題】
【０００４】
廉価に製造でき、基盤上に素材を確実に接合でき、振動によってゆるみの生じない固定具であって、締結時に固定具の挿入孔中の位置を確実に維持する固定具を提供すること。
【課題を解決するための手段】
【０００５】
硬質弾性体の棒状体あるいは板状体を主材とし、本体胴部と、揺動可能な返し部と、頭部固定部とよりなり、挿入孔側壁を本体胴部あるいは本体胴部に付随する構成物により圧着することで挿入孔中に本体胴部を安定的に位置させるとともに、振動による基盤と被取り付け物のずれの発生を押さえる圧着手段を有し、挿入孔に本体胴部先端を挿入し進入方向に加圧すると揺動可能な返し部がすぼまって挿入孔を通過し、該揺動可能な返しが外に出て横方向に突出することで、前記頭部固定部と前記返し部により基盤と被取り付け物を挟み込んで固定する返しを有する固定具において、前記本体胴部を、水平方向断面がＳ字状やＺ字状に曲げ癖をつけた板状体とし、水平方向へのたわみ可能に板材を構成し、前記圧着手段が当該たわませた前記板状体の復元力としたものであることを特徴とする返しを有する固定具を供する。
【発明の効果】
【０００６】
硬質弾性体の棒状体あるいは板状体を主材とし、本体胴部と、揺動可能な返し部と、頭部固定部とよりなり、挿入孔側壁を本体胴部あるいは本体胴部に付随する構成物により圧着することで挿入孔中に本体胴部を安定的に位置させるとともに、振動による基盤と被取り付け物のずれの発生を押さえる圧着手段を有し、挿入孔に本体胴部先端を挿入し進入方向に加圧すると揺動可能な返し部がすぼまって挿入孔を通過し、該揺動可能な返しが外に出て横方向に突出することで、前記頭部固定部と前記返し部により基盤と被取り付け物を挟み込んで固定する返しを有する固定具において、前記本体胴部を、水平方向断面がＳ字状やＺ字状に曲げ癖をつけた板状体とし、水平方向へのたわみ可能に板材を構成し、前記圧着手段が当該たわませた前記板状体の復元力としたものであることを特徴とする返しを有する固定具であるため，次の効果を奏する。
【０００７】
振動によってゆるみの生じない固定具であって、締結時に固定具の挿入孔中の位置を安定的に維持し、基盤上に素材を確実に接合できる固定具を廉価に提供できる。
【発明を実施するための最良の形態】
【０００８】
本願発明は、その一部が特許３７４６７８１号の改良発明でもあり、振動の激しい取り付け対象物において特に効果を発揮するゆるみの生じない固定具に関する物である。本願中の「揺動可能な返し部」とは固定具の胴部先端近くに設けられ、挿入孔内部の本体胴部を後退不可能にする突起物であり、挿入孔に固定具の先端を挿入すると該突起物がすぼまって挿入孔を通過し、該通過後に孔の外で該突起物が横方向に向かって突出することで前記本体胴部の後退を阻止する機能を有する突起物をいう。本願中の「圧着手段」は係着を意味せず、逆に係着しないための配慮を要し、挿入孔の側壁を押圧することで、振動による被取り付け物とこれを取り付ける基盤との位置のずれが生じないようにするものである。
【実施例１】
【０００９】
発明の実施の形態について以下、図に基づいて説明する。図１は実施例１の一部断面を含む斜視図である。本実施例における本件固定具は本体胴部１である本体胴部Ａ１１と、揺動可能な返し部２である返し部Ａ２１と、頭部固定部３である頭部固定部Ａ３１（３）とよりなり、圧着手段４である圧着手段Ａ４１（４）が挿入孔中における本体胴部Ａ１１（１）の位置を一定に保つ。本図において圧着手段Ａ４１（４）以外は鋼などの硬質弾性材で構成される。圧着手段Ａ４１は硬質ゴム等の弾性体であり、返し部Ａ２１（２）がすぼまる際には返し部Ａ２１（２）の変形に対応して変形し、返し部Ａ２１（２）がすぼまることを妨げない。
【００１０】
図２は実施例１の作用図である。図Ａは基盤５上に被取り付け物６を裁置し、その上から本体胴部Ａ１１（１）を打ち込み、頭部固定部Ａ３１（３）によってを前記被取り付け物６を基盤５に押圧し、返し部Ａ２１（２）が挿入孔８を通過して抜け出そうとする直前の状態を表している。図Ｂは前記返し部Ａ２１（２）が挿入孔８を抜け出して開き、前記被取り付け物６と前記頭部固定部Ａ３１（３）の弾性によって、図Ａのごとき前記頭部固定部Ａ３１（３）と被取り付け物６がゆがんだ形状を復元して本体胴部Ａ１１（１）を引き戻し、前記返し部Ａ２１（２）が更に開いて基盤５の外側に係着させた状態を表している。本図は被取り付け物６及び頭部固定部Ａ３１（３）が弾性を発揮し、該頭部固定部Ａ３１（３）のゆがみと取り付け物物６のゆがみの復元によって締結力を得る例である。
【実施例２】
【００１１】
図３は実施例２の斜視図である。実施例１と本実施例の相違点は頭部固定部３の構成及びその機能にあり、他は同一である。実施例１における頭部固定部Ａ３１（３）が本実施例では、下方向にたわんだ形状の頭部固定部Ｂ３２（３）とし、本体胴部最上端１０１との接点から曲折して下方に向かい、本体胴部最上端１０１と頭部固定部３の最下端３０１とを結ぶ線と、本体胴部の中心線１０２が形成する角が鋭角をなす。挿入孔８に本体胴部最上端１０１まで打ち込んだ際に頭部固定部Ｂ３２（３）にゆがみが生じ、その復元力によって本体胴部Ａ１１（１）を引き戻し、前記返し部Ａ２１（２）と頭部固定部Ｂ３２（３）の間に基盤５と被取り付け物６を挟み込みこんで固定する。
【実施例３】
【００１２】
図４は実施例３の斜視図である。実施例２において、頭部固定部Ｂ３２（３）が本体胴部最上端１０１との接点から曲折して下方に向かい構成が単純であるのに対し、本実施例では頭部固定部Ｃ３３（３）が本体胴部最上端１０１との接点から、一旦、上又は斜め上方に向かい曲折して下に向かう構成になっている。頭部固定部Ｃ３３（３）が、一旦、上又は斜め上方に向かい曲折して下に向かう構成であることから、頭部固定部３の長さが延長され、当該本体胴部最上端１０１から頭部固定部３の最下端３０１に至る形状に激しい曲折を伴わず、ゆるやかな曲線によって構成される。頭部固定部３の長さが延長され、ゆるやかな曲線によって構成されるため、分解時には、押し込み用押圧部７である押し込み用押圧部Ａ７１（７）に棒状の物を宛い、取り付け時の進入方向に向かって加圧すると頭部固定部Ｃ３３（３）が引き延ばされ変形しやすく、挿入孔８を通過し挿入孔８から離脱することも容易となる。資源保護の下に部品等の再利用が叫ばれる現在、有用な固定具となる。
【実施例４】
【００１３】
図５は実施例４の斜視図である。本実施例は全体が硬質の金属板で一体に形成され、一枚の板を立てた状態で本体胴部Ｂ１２（１）とする。該板の上部に縦の切れ込みを入れてて左右に分け、それぞれが前後方向に分かれて斜め上方に進み、曲折して下方に向かうことで頭部固定部Ｄ３４（３）を構成する。本体胴部１の下端近くに窓状の切れ込みをいれて切片２０である切片Ａ２０１（２０）を構成し、該切片Ａ２０１（２０）が左右に分かれ、斜め上方に向かって曲折し、立ち上げたものを返し部Ｂ２２（２）とする。同様にして切片Ｂ２０２（２０）を構成し、左右に分けて立ち上げ、上方に向かって曲折することで、圧着手段Ｂ４２（４）とする。切片Ｂ２０２（２０）は丸みやふくらみを帯びるなど挿入孔８の中で係着しにく意形状で、頭部固定部Ｄ３４（３）が打ち込みによって変形し、該変形した形状を復元することで得られる引き戻し力の働きを妨げない構成とする。
【００１４】
図６は実施例４の使用状態を示す断面図である。基盤５上に被取り付け物６を裁置し、挿入孔８に本体胴部先端１０３を宛って打ち込むと、頭部固定部Ｄ３４（３）が一旦、両横に引き延ばされて、本体胴部Ｂ１２（１）が下に進み返し部Ｂ２２（２）が挿入孔８の外に出て開く。頭部固定部Ｄ３４（３）が元の形状を復元することで、本体胴部Ｂ１２（１）を引き戻し、返し部Ｂ２２（２）の弾性と頭部固定部Ｄ３４（３）の弾性により基盤５と被取り付け物６を挟み込んで固定する。圧着手段Ｂ４２（４）が挿入孔８の側壁を押圧し、振動によって基盤５と被取り付け物６の間に位置ずれが生じないようにする。圧着手段Ｂ４２は腹部を膨らませるなどして挿入孔８の側壁に係止することを防ぎ、本体胴部Ｂ１２（１）の引き戻しを妨げないようにする。
【実施例５】
【００１５】
図７は実施例５の斜視図である。実施例４が本体胴部の横幅中央部に切れ込みを入れて切片Ａ２０１（２０）や切片Ｂ２０２（２０）を構成したのに対し、本実施例では本体胴部Ｃ１３（１）の側端部に切れ込みを複数入れて左右交互に立ち上げて切片Ｃ２０３（２０）や切片Ｄ２０４（２０）を構成し、それぞれを返し部Ｃ２３（２）と圧着手段Ｃ４３（４）とする。圧着手段Ｃ４２（４）の数が増えて本体胴部Ｃ１３（１）の全体に圧着の力が及ぶ。側端部に切れ込みを複数、縦に並べて構成するため本体胴部Ｃ１３（１）の強度を部分的に損なうことがなく、均等な強度が保てる。本体胴部Ｃ１３（１）の上端部は縦に切れ込みを入れて帯状体を構成し左右それぞれが前後斜め上方に向かい湾曲して方向を変え、下に向かうことで頭部固定部Ｅ３５（３）とする。二つの頭部固定部Ｅ３５（３）の間に押し込み用押圧部Ｂ７２（７）を構成する。該押し込み用押圧部Ｂ７２（７）に押し込み用具を添えて進入方向に加圧すると頭部固定部Ｅ３５（３）は本体胴部Ｃ１３（１）の中心線の延長線上に沿うように変形し挿入孔８内を通過して、基盤５と被取り付け物６から離脱し、基盤５と被取り付け物６は分離する。
【実施例６】
【００１６】
図８は実施例６の斜視図である。実施例５と、その構成及び効果がほぼ同一であるが、頭部固定部Ｆ３６（３）が本体胴部Ｃ１３（１）の本体胴部最上端（１０１）から横に曲折して構成され、実施例５と比較して本体胴部から上へ突起する高さを低く抑えてある。本体胴部Ｃ１３（１）の中央を縦に分割し、その下端に押し込み用押圧部Ｃ７３（７）を形成する。上記構成により、押し込み用押圧部Ｃ７３（７）を進入方向に向かって加圧すると、割れの入った本体胴部Ｃ１３（１）の上部が、頭部固定部Ｆ３６（３）の形成されていない側すなわち矢印の示す方向に逃げながら、本体胴部Ｃ１３（１）と頭部固定部Ｆ３６（３）の曲折部を中心に変形し、頭部固定部Ｆ３６（３）は角度を変えて挿入孔中に進入し、離脱容易となる。
【実施例７】
【００１７】
図９は実施例７の斜視図である。図Ａは弾性を有する硬質の板状体で構成され、本体胴部１が水平方向断面をＳ字状に曲折した物である。図Ｂは図Ａと同様に水平方向断面がＺ字状になる様に形成した物である。以降、図Ａと図Ｂは同一の物として記述する。本体胴部１を本体胴部Ｄ１４（１）とし、該本体胴部Ｄ１４（１）を構成する板状体の一部を延長して突出させ、上又は斜め上方に湾曲しながら進んで方向を変え、下に向かうことで頭部固定部Ｇ３７（３）を構成する。本体胴部Ｄ１４（１）の下端を斜めに切り落とし先端を挿入孔の大きさよりも細くなるように形成する。本体胴部Ｄ１４（１）の側部下端近くに切れ目９を設ける。本体胴部Ｄ１４（１）の左右縦側端部において、切れ目９より下が返し部Ｄ２４（２）となり、切れ目９より上が圧着手段Ｄ４４（４）となる。本体胴部Ｄ１４（１）の下端部を挿入孔８の入り口に宛い、挿入孔８に押し込むと本体胴部Ｄ１４（１）が横方向に圧縮されて細く変形する。返し部Ｄ２４（２）の先端が挿入孔８を通過すると外側に向かって突出し、本体胴部Ｄ１４（１）が後退不可能となる。返し部Ｄ２４（２）と、頭部固定部Ｇ３７（３）が基盤５と被取り付け物６を挟み込み、頭部固定部Ｇ３７（３）の弾性が両者を固定する。
【実施例８】
【００１８】
図１０は実施例８の斜視図である。図Ａは硬質弾性材による円筒の一部を縦帯状に切り欠いて本体胴部Ｅ１５（１）とし、図Ｂは硬質弾性板材を湾曲させてその湾曲部が部分的に円筒状を形成するようにした物を本体胴部Ｆ１６（１）としたものである。両者とも前後に圧縮して扁平に構成しても効果は得られる。図Ａの本体胴部Ｅ１５（１）が円筒状であり、図Ｂの本体胴部Ｆ１６（１）が平板状であるかの違いを有するのみで、形状が類似すると同様に機能もほぼ同一である。Ａ図・Ｂ図共に上端部の一部を上に延長して突出させ、湾曲させて方向を変えて下に向い、頭部固定部Ｇ３７（３）とする。Ａ・Ｂ共に本体胴部１における胴部左右縦側端部の下端近くに切れ目９を設ける。本体胴部１の左右縦側端部において、切れ目９より下が返し部Ｄ２４（２）となり、切れ目９より上が圧着手段Ｄ４４（４）となる。
【００１９】
本体胴部Ｅ１５（１）又は本体胴部Ｆ１６（１）の下端部を挿入孔８の入り口に宛い、挿入孔８に押し込むと本体胴部Ｅ１５（１）又は本体胴部Ｆ１６（１）が横方向に圧縮されて細く変形する。返し部Ｄ２４（２）が挿入孔を通過すると外側に向かって突出し、本体胴部Ｅ１５（１）又は本体胴部Ｆ１６（１）が後退不可能となり、返し部Ｄ２４（２）と、頭部固定部Ｇ３７（３）が基盤５と被取り付け物６を挟み込み、頭部固定部Ｇ３７（３）の弾性が両者を固定する。図Ｂは胴部縦側端部１２が平板状であるため、返し部Ｄ２４（２）が挿入孔８を通過した後に図Ａの返し部Ｄ２４（２）よりも大きく突出する。図Ｂでは本体胴部Ｆ１６（１）の上端部に、該上端部を内側に曲折突起させた押し込み用押圧部Ｄ７４（７）を形成する。挿入孔８の中にある本体胴部Ｆ１６（１）の上端部を下に向かって加圧する際に加圧用具が係着しやすくなる。
【実施例９】
【００２０】
図１１は実施例９の斜視図である。本実施例と実施例８との違いは、その上端部において本体胴部Ｇ１７（１）の外側壁が外に向かって傾斜し、本体胴部Ｇ１７（１）の断面がＶ字を縦に二等分した三角形の形にせり出した頭部固定部Ｈ３８（３）を有する点である。頭部固定部Ｈ３８（３）の形状がすっきりとし、単純であるため取り付けた際に頭部固定部Ｈ３８（３）が作る突起物が邪魔になりにくい。使用に当たっては当該三角形の形のせり出し部（頭部固定部Ｈ３８）を挿入孔８の中に押し込むと、本体胴部Ｇ１７（１）が細く変形しながら返し部Ｄ２４（２）が挿入孔８を通過する位置まで進入し、該返し部Ｄ２４（２）が外側に向かって突出する。加圧を解くと本体胴部Ｇ１７（１）の弾性により本体胴部Ｇ１７（１）が拡張し前記三角形のせり出し部によって滑るようにして上に向かって移動する。該移動する力によって、返し部Ｄ２４（２）と頭部固定部Ｈ３８（３）が基盤５と被取り付け物６を挟み込んで固定する。該三角形の形にせり出し部（頭部固定部Ｈ３８）は円形である必要はなく、頭部固定部Ｈ３８（３）の上端部を数カ所、部分的に突出させるだけでも効果は生じる。
【実施例１０】
【００２１】
図１２は実施例１０の斜視図である。本実施例円筒形であるが、前後に圧縮して扁平に構成しても効果は得られる。実施例８や実施例９との違いは頭部固定部３と返し部２の構成の違いにある。本実施例の頭部固定部３は頭部固定部Ｉ３９（３）であって本体胴部Ｈ１８（１）の上端の一部を延長し筒状体内部に向かって横方向に突出させ、次いで方向を転じ筒状体外側に向かって進み、本体胴部Ｈ１８（１）の上端を通り過ぎて外側まで突出させる。このことにより、頭部固定部Ｉ３９は突起物を上に向かって突出させずに引き戻し弾性を得ることができる。頭部固定部Ｉ３９（３）が左右に扁平であるため、組み立てた機器類に、取り付けによる無駄な空間を作る事がない。返し部Ｅ２５（２）は本体胴部Ｈ１８（１）の下端近くに切れ込みを入れ切片Ｅ２０５（２０）を構成し該切片Ｅ２０５（２０）の上端を外に向かって押し出す。該切片Ｅ２０５（２０）が小さな物であってもその下端部が本体胴部Ｈ１８（１）に連続しているため、本体胴部１の側端部に切れ込みを入れた物と比較して大きな係止力を得る。
【図面の簡単な説明】
【００２２】
【図１】実施例１の一部断面を含む斜視図である。
【図２】実施例１の作用図である。
【図３】実施例２の斜視図である。
【図４】実施例３の斜視図である。
【図５】実施例４の斜視図である。
【図６】実施例４の使用状態を示す断面図である。
【図７】実施例５の斜視図である。
【図８】実施例６斜視図である。
【図９】実施例７の斜視図である。
【図１０】実施例８の斜視図である。
【図１１】実施例９の斜視図である。
【図１２】実施例１０の斜視図である。
【符号の説明】
【００２３】
１  本体胴部                    
１０１  本体胴部最上端          
１０２  本体胴部中心線          
１０３  本体胴部先端            
１１  本体胴部Ａ                
１２  本体胴部Ｂ                
１３  本体胴部Ｃ                
１４  本体胴部Ｄ                
１５  本体胴部Ｅ                
１６  本体胴部Ｆ                
１７  本体胴部Ｇ                
１８  本体胴部Ｈ                
２  揺動可能な返し部            
２０  切片                      
２０１  切片Ａ                  
２０２  切片Ｂ                  
２０３  切片Ｃ                  
２０４  切片Ｄ                  
２０５  切片Ｅ                  
２１  返し部Ａ                  
２２  返し部Ｂ                  
２３  返し部Ｃ                  
２４  返し部Ｄ                  
２５  返し部Ｅ                  
３  頭部固定部                  
３０１  頭部固定部最下端        
３１  頭部固定部Ａ              
３２  頭部固定部Ｂ              
３３  頭部固定部Ｃ              
３４  頭部固定部Ｄ              
３５  頭部固定部Ｅ              
３６  頭部固定部Ｆ              
３７  頭部固定部Ｇ              
３８  頭部固定部Ｈ              
３９  頭部固定部Ｉ              
４  圧着手段                    
４１  圧着手段Ａ                
４２  圧着手段Ｂ                
４３  圧着手段Ｃ                
４４  圧着手段Ｄ                
５  基盤                        
６  被取り付け物                
７  押し込み用押圧部            
７１  押し込み用押圧部Ａ        
７２  押し込み用押圧部Ｂ        
７３  押し込み用押圧部Ｃ        
７４  押し込み用押圧部Ｄ        
８  挿入孔                      
９  切れ目